(57)【要約】【課題】印刷後のテープを貼り付ける際に、セパレータを剥がす手間を省くことができるテープカセットを提供する。【解決手段】セパレータ５３Ｄは、フィルムテープ５１に圧着された両面粘着テープ５３から剥離され、テープ送りローラ６３の外周面に沿って両面粘着スプール５６側に、つまり、引き出し側方向へ案内された後、各ガイドローラ６６の外周面に沿って平面視コの字状の経路を形成するように案内されて巻き取りスプール６１に至る。そして、セパレータ５３Ｄは、インクリボン５２と重ね合わされて、リボン巻取軸１５により回転駆動される巻き取りスプール６１に巻き取られる。【選択図】図４
2010100377.tif 000002
【特許請求の範囲】
【請求項１】
長尺状のテープを搬送するためのテープ搬送手段と、前記テープに印刷する印刷手段と、を備えたテープ印刷装置に着脱可能に装着されるテープカセットにおいて、
被印刷テープが巻回されて回転可能に設けられるテープスプールと、
前記被印刷テープの一方の面に接触するインクリボンが巻回されて回転可能に設けられるリボンスプールと、
前記インクリボンの先端部が固着されると共に、該インクリボンが巻き取られる巻き取りスプールと、
一面がセパレータで覆われて前記被印刷テープの印刷された一方の面に貼着される両面粘着テープが前記セパレータを外側にして巻回されて回転可能に設けられる両面粘着スプールと、
前記テープ印刷装置のテープサブローラと協働して前記テープスプールに巻回される被印刷テープと前記両面粘着スプールに巻回される両面粘着テープとを引き出して搬送すると共に、該被印刷テープに該両面粘着テープを圧着するテープ送りローラと、
前記テープ送りローラによって被印刷テープに圧着された両面粘着テープから剥離された前記セパレータを前記巻き取りスプールまで案内する経路上に設けられたガイド部材と、
を備え、
前記ガイド部材によって前記巻き取りスプールまで案内されたセパレータは、該巻き取りスプールに前記インクリボンと重なって巻き取られることを特徴とするテープカセット。
【請求項２】
前記両面粘着テープが圧着された前記被印刷テープを外部に排出するテープ排出口と、
前記テープ送りローラに対して前記テープ排出口側のテープ搬送経路上に回転可能に設けられて前記セパレータが剥離された両面粘着テープに接触して前記被印刷テープを前記テープ排出口へ案内する送りコロと、
を備えたことを特徴とする請求項１に記載のテープカセット。
【請求項３】
前記巻き取りスプールは、前記テープスプールと前記両面粘着スプールとの間に配設され、
前記ガイド部材は、前記セパレータを前記テープ送りローラから該両面粘着スプールに巻回される両面粘着テープの引き出し側へ案内後、該両面粘着テープの外側周縁を通って前記巻き取りスプールまで案内することを特徴とする請求項１または請求項２に記載のテープカセット。
【請求項４】
前記セパレータの前記巻き取りスプールに巻き取られる先端部は、前記巻き取りスプールの外周面の前記インクリボンの先端部が固着される位置と異なる位置に固着されることを特徴とする請求項１乃至請求項３のいずれかに記載のテープカセット。
【請求項５】
前記セパレータの前記巻き取りスプールに巻き取られる先端部は、前記インクリボンの先端部に重ねられて前記巻き取りスプールの外周面に固着されることを特徴とする請求項１乃至請求項３のいずれかに記載のテープカセット。
【請求項６】
終端部が前記セパレータの前記巻き取りスプールに巻き取られる先端部に固着されると共に、先端部が前記ガイド部材によって前記巻き取りスプールまで案内されて該巻き取りスプールに前記インクリボンと重なって巻き取られる接ぎテープを備えたことを特徴とする請求項１乃至請求項３のいずれかに記載のテープカセット。
【請求項７】
前記接ぎテープの先端部は、前記巻き取りスプールの外周面の前記インクリボンの先端部が固着される位置と異なる位置に固着されることを特徴とする請求項６に記載のテープカセット。
【請求項８】
前記接ぎテープの先端部は、前記インクリボンの先端部に重ねられて前記巻き取りスプールの外周面に固着されることを特徴とする請求項６に記載のテープカセット。
【請求項９】
前記テープ送りローラによって被印刷テープに圧着された両面粘着テープから前記セパレータが剥離される剥離位置近傍の該両面粘着テープと該セパレータとの間に設けられた剥離部材を備えたことを特徴とする請求項１乃至請求項８のいずれかに記載のテープカセット。
【発明の詳細な説明】
【技術分野】
【０００１】
本発明は、テープ印刷装置に使用されるテープカセットに関するものである。
【背景技術】
【０００２】
従来より、テープ印刷装置に使用されるテープカセットに関して種々提案されている。
例えば、印字用テープとインクリボンとが収納されており、テープスプールに巻回されたレセプタタイプの印字用テープは、４つのコロに案内されて放出部から印字部を経て搬送される。また、リボンスプールに巻回されたインクリボンは、検出経路を経て放出部及び印字部において、印字用テープと略平行に添設され、リボン巻取りスプールに巻き取られるように構成されたテープカセットがある（例えば、特許文献１参照。）。
【特許文献１】特開平７−６８８１４号公報（段落（００１０）〜（００１８）、図２）
【発明の開示】
【発明が解決しようとする課題】
【０００３】
ここで、上述した特許文献１に記載されるテープカセットでは、印字用テープはインクリボンと対向する表面に印刷され、印字用テープの裏面側には粘着剤層が予め塗布され、この粘着剤層にセパレータが貼り付けられている。
しかしながら、セパレータは薄い剥離紙やフィルムテープ等で構成されるため、印刷後の印字用テープを貼り付ける際に、このセパレータを剥がすのに手間がかかるという問題がある。
【０００４】
そこで、本発明は、上述した問題点を解決するためになされたものであり、印刷後のテープを貼り付ける際に、セパレータを剥がす手間を省くことができるテープカセットを提供することを目的とする。
【課題を解決するための手段】
【０００５】
前記目的を達成するため請求項１に係るテープカセットは、長尺状のテープを搬送するためのテープ搬送手段と、前記テープに印刷する印刷手段と、を備えたテープ印刷装置に着脱可能に装着されるテープカセットにおいて、被印刷テープが巻回されて回転可能に設けられるテープスプールと、前記被印刷テープの一方の面に接触するインクリボンが巻回されて回転可能に設けられるリボンスプールと、前記インクリボンの先端部が固着されると共に、該インクリボンが巻き取られる巻き取りスプールと、一面がセパレータで覆われて前記被印刷テープの印刷された一方の面に貼着される両面粘着テープが前記セパレータを外側にして巻回されて回転可能に設けられる両面粘着スプールと、前記テープ印刷装置のテープサブローラと協働して前記テープスプールに巻回される被印刷テープと前記両面粘着スプールに巻回される両面粘着テープとを引き出して搬送すると共に、該被印刷テープに該両面粘着テープを圧着するテープ送りローラと、前記テープ送りローラによって被印刷テープに圧着された両面粘着テープから剥離された前記セパレータを前記巻き取りスプールまで案内する経路上に設けられたガイド部材と、を備え、前記ガイド部材によって前記巻き取りスプールまで案内されたセパレータは、該巻き取りスプールに前記インクリボンと重なって巻き取られることを特徴とする。
【０００６】
また、請求項２に係るテープカセットは、請求項１に記載のテープカセットにおいて、前記両面粘着テープが圧着された前記被印刷テープを外部に排出するテープ排出口と、前記テープ送りローラに対して前記テープ排出口側のテープ搬送経路上に回転可能に設けられて前記セパレータが剥離された両面粘着テープに接触して前記被印刷テープを前記テープ排出口へ案内する送りコロと、を備えたことを特徴とする。
【０００７】
また、請求項３に係るテープカセットは、請求項１又は請求項２に記載のテープカセットにおいて、前記巻き取りスプールは、前記テープスプールと前記両面粘着スプールとの間に配設され、前記ガイド部材は、前記セパレータを前記テープ送りローラから該両面粘着スプールに巻回される両面粘着テープの引き出し側へ案内後、該両面粘着テープの外側周縁を通って前記巻き取りスプールまで案内することを特徴とする。
【０００８】
また、請求項４に係るテープカセットは、請求項１乃至請求項３のいずれかに記載のテープカセットにおいて、前記セパレータの前記巻き取りスプールに巻き取られる先端部は、前記巻き取りスプールの外周面の前記インクリボンの先端部が固着される位置と異なる位置に固着されることを特徴とする。
【０００９】
また、請求項５に係るテープカセットは、請求項１乃至請求項３のいずれかに記載のテープカセットにおいて、前記セパレータの前記巻き取りスプールに巻き取られる先端部は、前記インクリボンの先端部に重ねられて前記巻き取りスプールの外周面に固着されることを特徴とする。
【００１０】
また、請求項６に係るテープカセットは、請求項１乃至請求項３のいずれかに記載のテープカセットにおいて、終端部が前記セパレータの前記巻き取りスプールに巻き取られる先端部に固着されると共に、先端部が前記ガイド部材によって前記巻き取りスプールまで案内されて該巻き取りスプールに前記インクリボンと重なって巻き取られる接ぎテープを備えたことを特徴とする。
【００１１】
また、請求項７に係るテープカセットは、請求項６に記載のテープカセットにおいて、前記接ぎテープの先端部は、前記巻き取りスプールの外周面の前記インクリボンの先端部が固着される位置と異なる位置に固着されることを特徴とする。
【００１２】
また、請求項８に係るテープカセットは、請求項６に記載のテープカセットにおいて、前記接ぎテープの先端部は、前記インクリボンの先端部に重ねられて前記巻き取りスプールの外周面に固着されることを特徴とする。
【００１３】
更に、請求項９に係るテープカセットは、請求項１乃至請求項８のいずれかに記載のテープカセットにおいて、前記テープ送りローラによって被印刷テープに圧着された両面粘着テープから前記セパレータが剥離される剥離位置近傍の該両面粘着テープと該セパレータとの間に設けられた剥離部材を備えたことを特徴とする。
【発明の効果】
【００１４】
請求項１に係るテープカセットでは、両面粘着テープは、テープ送りローラとテープサブローラとによって、被印刷テープの印刷された一方の面に圧着された後、セパレータが剥離された状態で搬送されることとなる。これにより、印刷後の被印刷テープを商品等に貼り付ける際に、セパレータを剥がす手間を省くことができる。
また、セパレータは、ガイド部材によって巻き取りスプールまで案内されてインクリボンと重なって巻き取られるため、剥離したセパレータをテープカセット内に収納することが可能となり、ユーザは両面粘着テープから剥離したセパレータを廃棄する手間を省くことができる。
【００１５】
また、請求項２に係るテープカセットでは、セパレータが剥離された両面粘着テープに送りコロが接触して被印刷テープをテープ排出口へ案内するため、被印刷テープがセパレータ側に撓んで詰まることを防止して、当該被印刷テープをテープ排出口から外部へスムーズに排出することが可能となる。
【００１６】
また、請求項３に係るテープカセットでは、巻き取りスプールは、テープスプールと両面粘着スプールとの間に配設されているため、テープ印刷装置によるテープ印刷が行われることによって巻き取りスプールに巻回可能なセパレータ及びインクリボンの最大巻回長さを容易に大きくすることができ、テープカセットの小型化を図ることが可能となる。また、ガイド部材によって剥離したセパレータをテープ送りローラから両面粘着スプールに巻回される両面粘着テープの引き出し側へ案内後、該両面粘着テープの外側周縁を通って巻き取りスプールまで案内することによって、テープカセット内の隙間空間を有効に活用することができ、テープカセットの更なる小型化を図ることが可能となる。
【００１７】
また、請求項４に係るテープカセットでは、セパレータの先端部とインクリボンの先端部とを別々に巻き取りスプールに固着することができ、各先端部の巻き取りスプールへの固着作業を容易に行うことが可能となる。
【００１８】
また、請求項５に係るテープカセットでは、セパレータの先端部とインクリボンの先端部とを重ねて巻き取りスプールに固着するため、各先端部を巻き取りスプールに予め巻回して装着することが可能となり、組立作業の迅速化を図ることが可能となる。
【００１９】
また、請求項６に係るテープカセットでは、セパレータの先端部に該セパレータよりも安価な接ぎテープを用いることが可能となり、製造コストの削減化を図ることが可能となる。
【００２０】
また、請求項７に係るテープカセットでは、接ぎテープの先端部とインクリボンの先端部とを別々に巻き取りスプールに固着することができ、各先端部の巻き取りスプールへの固着作業を容易に行うことが可能となる。
【００２１】
また、請求項８に係るテープカセットでは、接ぎテープの先端部とインクリボンの先端部とを重ねて巻き取りスプールに固着するため、各先端部を巻き取りスプールに予め巻回して装着することが可能となり、組立作業の迅速化を図ることが可能となる。
【００２２】
また、請求項９に係るテープカセットでは、剥離部材によって両面粘着テープからセパレータをスムーズに剥離させることが可能となると共に、両面粘着テープから剥離されたセパレータが、振動等によって再度両面粘着テープへ付着するのを剥離部材によって確実に防止することが可能となる。
【発明を実施するための最良の形態】
【００２３】
以下、本発明に係るテープカセットについて具体化した一実施形態に基づき図面を参照しつつ詳細に説明する。
【００２４】
先ず、本実施形態に係るテープカセットが装着されるテープ印刷装置の概略構成について図１乃至図３に基づき説明する。
図１は本実施形態に係るテープ印刷装置の平面図である。図２はテープ印刷装置の右側面図である。図３はテープ印刷装置のカセット収納部にテープカセットを装着する状態を示す要部拡大斜視図である。
【００２５】
図１乃至図３に示すように、本実施形態に係るテープ印刷装置１には、文書データからなるテキストを作成するための文字入力キー２、テキスト等の印刷を指示する印刷キー３、及び、改行指示や各種処理の実行、選択を指示するリターンキー４、文字等のキャラクタを複数行に渡って表示する液晶ディスプレイ（ＬＣＤ）７上でカーソルを上下、左右に移動させるカーソルキー５等を設けたキーボード６、及び、テープカセット２１を収納するカセット収納部８が収納カバー１３で覆われて配設されている。
【００２６】
また、このキーボード６の下側には、制御回路部が構成される制御基板１２が配設されている。また、カセット収納部８の左側面部には、印刷されて後述のようにセパレータが剥離されたテープが排出されるラベル排出口１６が形成されている。また、該カセット収納部８の右側面部には、電源アダプタが取り付けられるアダプタ挿入口１７、及び不図示のパーソナルコンピュータと接続するためのＵＳＢケーブルが取り付けられるコネクタ１８が設けられている。
【００２７】
また、このカセット収納部８には、サーマルヘッド９と、このサーマルヘッド９に対向するプラテンローラ１０と、このプラテンローラ１０の下流側のテープサブローラ１１と、このテープサブローラ１１に対向する金属製のテープ駆動ローラ軸１４とが配置されている他に、更に、テープカセット２１内に収納されるインクリボン５２（図４参照）を送るリボン巻取軸１５等が配置されている。
【００２８】
このサーマルヘッド９は、正面視略縦長四角形の平板状で、前面の左端縁部には、所定個数の各発熱素子Ｒ1〜Ｒn（ｎは、例えば、１２８個又は２５６個である。）が、該左端縁部の辺に沿って一列に配列されて形成されている。また、該サーマルヘッド９は、メッキ鋼板やステンレス鋼板等により形成される正面視略四角形の放熱板９Ａの前面の左端縁部に、各発熱素子Ｒ1〜Ｒnの配列方向が、該放熱板９Ａの左端縁部の辺に平行になるように接着剤などによって固着されている。そして、該放熱板９Ａは、各発熱素子Ｒ1〜Ｒnの配列方向が、テープカセット２１の開口部２２におけるフィルムテープ５１（図４参照）の搬送方向に略直交するように、ビス止め等によってカセット収納部８の下側に取り付けられている。
【００２９】
また、リボン巻取軸１５は、ステッピングモータ等により構成される不図示のテープ送りモータから適宜の駆動機構を介して回転駆動される。また、テープ駆動ローラ軸１４は、テープ送りモータから適宜の伝達機構を介して回転駆動され、後述のようにテープカセット２１内に回転可能に設けられた導電性樹脂製のテープ送りローラ６３（図４参照）内に嵌入されて回転駆動する。
【００３０】
また、図３に示すように、テープカセット２１のテープ排出口２７（図４参照）の近傍には、所定タイミグでセパレータ５３Ｄ（図６参照）が剥離された印刷済みテープ２８を所定の長さに切断し、セパレータ５３Ｄが剥離された両面粘着テープ付きラベルを生成するテープ切断装置としてのはさみ式カッタユニット３０が配置されている。このカッタユニット３０は、固定刃３０Ａと、不図示の切断用モータによって固定刃３０Ａに対して作動して印字済みテープ２８を切断する可動刃３０Ｂとから構成されている。
【００３１】
また、カセット収納部８の底面部には、２つの位置決めピン４５、４６が、同一高さ寸法に立設されている。そして、テープカセット２１をカセット収納部８に装着した際には、テープカセット２１は、各位置決めピン４５、４６によってカセット収納部８内で適正に位置決めがされる。
【００３２】
次ぎに、テープカセット２１の概略構成について図３乃至図６に基づいて説明する。図４はテープ印刷装置１のカセット収納部８にテープカセット２１を装着した状態でテープカセット２１の上ケースを取り外した場合の要部拡大平面図である。図５は巻き取りスプールにインクリボン５２とセパレータ５３Ｄとの各先端部を固着した一例を示す図である。図６は両面粘着テープ５３をフィルムテープ５１へ圧着後、セパレータ５３Ｄが剥離される状態を模式的に示す図である。尚、図５において、インクリボン５２はセパレータ５３Ｄの先端部分が見えるように切り欠いて示してあるが、実際は切り欠かれていない。
【００３３】
図３及び図４に示すように、テープカセット２１は、上ケース３８と下ケース２３とを有する。このテープカセット２１には、被印字テープとしての透明なフィルムテープ５１を巻回したテープスプール５４を回転可能に支持する支持孔４１が形成されている。また、このテープカセット２１には、両面粘着テープ５３の剥離紙やフィルム等から形成されるセパレータ５３Ｄ（図６参照）を外側に向けて巻回した両面粘着スプール５６を回転可能に支持する支持孔４２が形成されている。
【００３４】
また、このテープカセット２１には、テープスプール５４と両面粘着スプール５６との間に配設された巻き取りスプール６１を回転可能に支持する支持孔４３が形成されている。この巻き取りスプール６１は、サーマルヘッド９によりフィルムテープ５１上に文字等を印刷する際にリボンスプール５５からインクリボン５２を引き出すとともに、両面粘着テープ５３から剥離されたセパレータ５３Ｄとインクリボン５２とを巻き取る。
【００３５】
また、このテープカセット２１には、テープ送りローラ６３のテープ搬送方向下流側、つまり、テープ排出口２７側に離間して配置された略円柱形状で両端面中心位置に支持軸が立設されると共に、外周面にシリコーン樹脂皮膜が形成された送りコロ６５を回転可能に支持する支持孔４８が形成されている。この送りコロ６５は、セパレータ５３Ｄが剥離された印刷済みテープ２８の粘着層５３Ｃ（図６参照）に接触して、該印刷済みテープ２８をテープ排出口２７へ案内する。
【００３６】
また、このテープカセット２１には、両面粘着スプール５６に巻回された両面粘着テープ５３の最大径よりも外側の位置で、この両面粘着スプール５６側の角部内側面の近傍位置と、開口部２２に対向する側壁部２３Ａの巻き取りスプール６１に対向する側壁面の近傍位置とに配設された一対の略円柱形状で両端面中心位置に支持軸が立設されたガイドローラ６６を回転可能に支持する各支持孔４９が形成されている。
【００３７】
尚、図３中には、上ケース３８に形成された各支持孔４１、４２、４３、４８、４９のみしか図示されていないが、下ケース２３についても同様に上ケース３８の各支持孔４１、４２、４３、４８、４９に対向して各支持孔４１、４２、４３、４８、４９が形成されている。
【００３８】
また、図４に示すように、テープカセット２１内には、透明テープ等からなる被印字テープであるフィルムテープ５１、このフィルムテープ５１に印字を施すためのインクリボン５２、更には、印字がなされたフィルムテープ５１に裏貼りされる両面粘着テープ５３を各々、テープスプール５４、リボンスプール５５、両面粘着スプール５６に巻回して、下ケース２３の底面に立設されるカセットボス５８、リールボス５９、カセットボス６０に回転可能に嵌挿して収納したものであり、更に、使用済みのインクリボン５２及び両面粘着テープ５３から剥離されたセパレータ５３Ｄを巻き取る巻き取りスプール６１を備えている。
【００３９】
ここで、図５に示すように、巻き取りスプール６１には、セパレータ５３Ｄの先端部と、インクリボン５２の先端部とが、それぞれ各接着テープ６７、６８によって外周面の異なる位置に固定されている。これにより、巻き取りスプール６１内に嵌入されるリボン巻取軸１５を回転駆動することによって、セパレータ５３Ｄ及びインクリボン５２が、重ね合わされて巻き取りスプール６１に巻き取られる。
【００４０】
尚、図４に示すように、この巻き取りスプール６１の下部にはクラッチバネ６４が取り付けられている。このクラッチバネ６４は巻き取りスプール６１が逆転して巻き取ったインクリボン５２及びセパレータ５３Ｄが緩んでしまうことを防止するものである。
【００４１】
また、図４に示すように、リボンスプール５５に巻回され、このリボンスプール５５から引き出された未使用インクリボン５２は、フィルムテープ５１と重ね合わされ、フィルムテープ５１と共に開口部２２に入り、サーマルヘッド９及びプラテンローラ１０の間を通過する。その後、インクリボン５２は、フィルムテープ５１から引き離され、リボン巻取軸１５により回転駆動される巻き取りスプール６１に至り、この巻き取りスプール６１により巻き取られる。
【００４２】
また、図６に示すように、セパレータ５３Ｄを外側にして両面粘着スプール５６に巻回された両面粘着テープ５３は、４層構造に構成されている。この両面粘着テープ５３の各層は、図６中下側から上側方向へ向かって、フィルムテープ５１を接着するための粘着層５３Ａ、ＰＥＴ（ポリエチレンテレフタラート）等から成る色付きのベースフィルム５３Ｂ、商品等の貼り付け対象に貼り付けるための粘着層５３Ｃ、この粘着層５３Ｃの貼り付け側を覆うセパレータ５３Ｄの順序で積層されて構成されている。
【００４３】
そして、図４及び図６に示すように、両面粘着スプール５６から引き出された両面粘着テープ５３は、テープ駆動ローラ軸１４によって回転駆動されるテープ送りローラ６３とテープサブローラ１１との間を通過し、セパレータ５３Ｄが重ね合わされない側の粘着層５３Ａがフィルムテープ５１に圧着される。
【００４４】
その後、セパレータ５３Ｄは、フィルムテープ５１に圧着された両面粘着テープ５３から剥離され、テープ送りローラ６３の外周面に沿って両面粘着スプール５６側に、つまり、引き出し側方向（図４中、上側方向である。）へ案内された後、各ガイドローラ６６の外周面に沿って平面視コの字状の経路を形成するように案内されて巻き取りスプール６１に至る。そして、セパレータ５３Ｄは、インクリボン５２と重ね合わされて、リボン巻取軸１５により回転駆動される巻き取りスプール６１に巻き取られる。
【００４５】
また、フィルムテープ５１は、テープ駆動ローラ軸１４によって回転駆動されるテープ送りローラ６３とテープサブローラ１１との間を通過後、印刷面に粘着層５３Ａ、ベースフィルム５３Ｂ及び粘着層５３Ｃが積層された状態で送りコロ６５に至る。そして、印刷面に粘着層５３Ａ、ベースフィルム５３Ｂ及び粘着層５３Ｃが積層されたフィルムテープ５１は、つまり、印刷済みテープ２８は、粘着層５３Ｃに接触する送りコロ６５に案内されてテープ排出口２７からテープカセット２１の外部に送り出されて、カッタユニット３０を経てテープ印刷装置１のラベル排出口１６より外部に送り出される。
【００４６】
そして、印刷済みテープ２８を所定長さ搬送後、不図示の切断用モータを駆動して可動刃３０Ｂを作動させることによって、セパレータ５３Ｄが剥離された所定長さの粘着剤付き印刷済みテープ２８がラベル排出口１６より排出される。
【００４７】
ここで、テープ駆動ローラ軸１４、テープ送りローラ６３及びテープサブローラ１１は、搬送手段の一例を構成する。また、サーマルヘッド９及びプラテンローラ１０は、印刷手段の一例を構成する。また、フィルムテープ５１は、被印刷テープの一例として機能する。また、各ガイドローラ６６は、ガイド部材の一例として機能する。
【００４８】
従って、本実施形態に係るテープカセット２１では、両面粘着テープ５３は、テープ送りローラ６３とテープサブローラ１１とによって、フィルムテープ５１の印刷された一方に面に圧着された後、セパレータ５３Ｄが剥離された状態で搬送されることとなる。これにより、所定長さに切断された印刷済みテープ２８を商品等に貼り付ける際に、セパレータ５３Ｄを剥がす手間を省くことができる。
【００４９】
また、セパレータ５３Ｄは、各ガイドローラ６６によって巻き取りスプール６１まで案内されてインクリボン５２と重なって巻き取られるため、剥離したセパレータ５３Ｄをテープカセット２１内に収納することが可能となり、ユーザは両面粘着テープ５３から剥離したセパレータ５３Ｄを廃棄する手間を省くことができる。
【００５０】
また、セパレータ５３Ｄが剥離された両面粘着テープ５３の粘着層５３Ｃに送りコロ６５が接触して印刷済みテープ２８をテープ排出口２７へ案内するため、印刷済みテープ２８がセパレータ側に撓んで詰まることを防止して、当該印刷済みテープ２８をテープ排出口２７から外部へスムーズに排出することが可能となる。
【００５１】
また、巻き取りスプール６１は、テープスプール５４と両面粘着スプール５６との間に配設されているため、テープ印刷装置１によるテープ印刷が行われることによって巻取スプール６１に巻回可能なセパレータ５３Ｄ及びインクリボン５２の最大巻回長さを容易に大きくすることでき、テープカセット２１の大型化を防ぐことが可能となる。
【００５２】
また、各ガイドローラ６６によって剥離したセパレータ５３Ｄをテープ送りローラ６３から両面粘着スプール５６に巻回される両面粘着テープ５３の引き出し側へ案内後、該両面粘着テープ５３の外側周縁を通って巻き取りスプール６１まで案内することによって、テープカセット２１内の隙間空間を有効に活用することができ、大型化を防ぐことに役立っている。
【００５３】
また、セパレータ５３Ｄの先端部とインクリボン５２の先端部とを別々に巻き取りスプール６１に各接着テープ６７、６８によって固着することができ、各先端部の巻き取りスプール６１への固着作業を容易に行うことが可能となる。
【００５４】
尚、本発明は前記実施形態に限定されることはなく、本発明の要旨を逸脱しない範囲内で種々の改良、変形が可能であることは勿論である。例えば、以下のようにしてもよい。
【００５５】
（Ａ）他の実施形態に係る巻き取りスプール６１にインクリボン５２とセパレータ５３Ｄとの各先端部を固着した一例について図７に基づいて説明する。尚、図７の説明において上記図１乃至図６に示す本実施形態に係るテープカセット２１及びテープ印字装置１の構成等と同一符号は、該本実施形態に係るテープカセット２１及びテープ印字装置１等の構成等と同一あるいは相当部分を示すものである。また、図７において、インクリボン５２はセパレータ５３Ｄの先端部分が見えるように切り欠いて示してあるが、実際は切り欠かれていない。
【００５６】
図７に示すように、インクリボン５２の先端部を接着テープ６８によって巻き取りスプール６１に固定すると共に、セパレータ５３Ｄの先端縁部を粘着剤７１によって巻き取りスプール６１に固定するようにしてもよい。これにより、巻き取りスプール６１内に嵌入されるリボン巻取軸１５を回転駆動することによって、セパレータ５３Ｄ及びインクリボン５２が、重ね合わされて巻き取りスプール６１に巻き取られる。また、セパレータ５３Ｄの先端縁部に予め粘着剤７１を設けておくことによって、巻き取りスプール６１に迅速に固定することが可能となる。
【００５７】
（Ｂ）他の実施形態に係る巻き取りスプール６１にインクリボン５２とセパレータ５３Ｄとの各先端部を固着した一例について図８に基づいて説明する。尚、図８の説明において上記図１乃至図６に示す本実施形態に係るテープカセット２１及びテープ印字装置１の構成等と同一符号は、該本実施形態に係るテープカセット２１及びテープ印字装置１等の構成等と同一あるいは相当部分を示すものである。
【００５８】
図８に示すように、セパレータ５３Ｄの先端部とインクリボン５２の先端部とを重ねて巻き取りスプール６１の外周面に接着テープ７３によって固定するようにしてもよい。これにより、セパレータ５３Ｄの先端部とインクリボン５２の先端部を巻き取りスプール６１に予め巻回して装着することが可能となり、組立作業の迅速化を図ることが可能となる。
【００５９】
（Ｃ）上記各ガイドローラ６６に替えて、断面が円形又は楕円形のガイドピンを下ケース２３の底面部に立設し、上端部を各支持孔４９、４９に嵌入する構成にしてもよい。これにより、各ガイドローラ６６を装着する作業を省くことが可能となり、部品点数を削減することが可能となる。
【００６０】
（Ｄ）他の実施形態に係るテープカセット８１のセパレータ５３Ｄの先端部に接ぎテープを接続した一例について図９に基づいて説明する。尚、図９の説明において上記図１乃至図６に示す本実施形態に係るテープカセット２１及びテープ印字装置１の構成等と同一符号は、該本実施形態に係るテープカセット２１及びテープ印字装置１等の構成等と同一あるいは相当部分を示すものである。
【００６１】
図９に示すように、テープカセット８１の構成は、本実施形態に係るテープカセット２１の構成とほぼ同じ構成である。
但し、セパレータ５３Ｄの先端部には、ＰＥＴ（ポリエチレンテレフタラート）等のフィルムテープから成る接ぎテープ８２の終端部が、接着テープ等により形成されるテープ止め８３によって接続されている。
【００６２】
また、この接ぎテープ８２の先端部は、各ガイドローラ６６によって巻き取りスプール６１まで案内されて、該巻き取りスプール６１に固着されてインクリボン５２と重なって巻き取られる。これにより、セパレータ５３Ｄの先端部に該セパレータ５３Ｄよりも安価な接ぎテープ８２を用いることが可能となり、製造コストの削減化を図ることが可能となる。
【００６３】
尚、接ぎテープ８２の先端部は、接着テープ６７によって巻き取りスプール６１に固定してもよい（図５参照）。また、接ぎテープ８２の先端縁部を粘着剤７１によって巻き取りスプール６１に固定するようにしてもよい（図７参照）。また、接ぎテープ８２の先端部とインクリボン５２の先端部とを重ねて巻き取りスプール６１の外周面に接着テープ７３によって固定するようにしてもよい（図８参照）。
【００６４】
（Ｅ）他の実施形態に係るテープカセット９１の一例について図１０及び図１１に基づいて説明する。図１０及び図１１の説明において上記図１乃至図６に示す本実施形態に係るテープカセット２１及びテープ印字装置１の構成等と同一符号は、該本実施形態に係るテープカセット２１及びテープ印字装置１等の構成等と同一あるいは相当部分を示すものである。
【００６５】
テープカセット９１の構成は、本実施形態に係るテープカセット２１の構成とほぼ同じ構成である。
但し、図１０及び図１１に示すように、テープ送りローラ６３によってフィルムテープ５１に圧着された両面粘着テープ５３からセパレータ５３Ｄが剥離される剥離位置近傍のテープ搬送方向下流側、つまり、印字済みテープ２８とセパレータ５３Ｄとの間に、剥離部材の一例としての剥離ピン９２が設けられ、印字済みテープ２８とセパレータ５３Ｄを分離している。
【００６６】
この剥離ピン９２は、印刷済みテープ２８のテープ幅よりも長い断面円形の略円柱形状で、両端面中心位置に各支持軸９２Ａが立設されている。また、この剥離ピン９２の外周面には、シリコーン樹脂皮膜が形成されている。尚、剥離ピン９２は回転可能に設けることでより効果が大きい、即ち、テープカセット９１の上ケース３８及び下ケース２３には、剥離ピン９２の各支持軸９２Ａを回転可能に支持する各支持孔９３が形成されている。
【００６７】
これにより、剥離ピン９２は、両端部が回転可能に支持されると共に、印字済みテープ２８及びセパレータ５３Ｄの全幅に渡って接触するため、剥離ピン９２によって両面粘着テープ５３からセパレータ５３Ｄをスムーズに剥離させることが可能となる。また、両面粘着テープ５３から剥離されたセパレータ５３Ｄが、振動等によって再度両面粘着テープ５３の粘着層５３Ｃへ付着するのを剥離ピン９２によって確実に防止することが可能となる。
【図面の簡単な説明】
【００６８】
【図１】本実施形態に係るテープ印刷装置の平面図である。
【図２】テープ印刷装置の右側面図である。
【図３】テープ印刷装置のカセット収納部にテープカセットを装着する状態を示す要部拡大斜視図である。
【図４】テープ印刷装置のカセット収納部にテープカセットを装着した状態でテープカセットの上ケースを取り外した場合の要部拡大平面図である。
【図５】巻き取りスプールにインクリボンとセパレータとの各先端部を固着した一例を示す図である。
【図６】両面粘着テープをフィルムテープへ圧着後、セパレータが剥離される状態を模式的に示す図である。
【図７】他の実施形態に係る巻き取りスプールにインクリボンとセパレータとの各先端部を固着した一例を示す図である。
【図８】他の実施形態に係る巻き取りスプールにインクリボンとセパレータとの各先端部を固着した一例を示す図である。
【図９】他の実施形態に係るテープカセットの一例を示す図である。
【図１０】他の実施形態に係るテープカセットの一例を示す要部拡大図である。
【図１１】図１０のＡ矢視部分拡大図である。
【符号の説明】
【００６９】
２１、８１、９１      テープカセット
２７      テープ排出口
５１      フィルムテープ
５２      インクリボン
５３      両面粘着テープ
５３Ａ、５３Ｃ      粘着層
５３Ｂ    ベースフィルム
５３Ｄ    セパレータ
５４      テープスプール
５５      リボンスプール
５６      両面粘着スプール
６１      巻き取りスプール
６３      テープ送りローラ
６５      送りコロ
６６      ガイドローラ
６７、６８、７３      接着テープ
８２      接ぎテープ
８３      テープ止め
９２      剥離ピン
【図１】
2010100377.tif 000003
【図２】
2010100377.tif 000004
【図３】
2010100377.tif 000005
【図４】
2010100377.tif 000006
【図５】
2010100377.tif 000007
【図６】
2010100377.tif 000008
【図７】
2010100377.tif 000009
【図８】
2010100377.tif 000010
【図９】
2010100377.tif 000011
【図１０】
2010100377.tif 000012
【図１１】
2010100377.tif 000013